(57)【特許請求の範囲】
【請求項１】
略半球状のエアゾール容器の上面中心に配設された噴口を有するステムを足で押し下げ可能な操作部を有するエアゾール装置であって、
前記ステムの軸方向に対して傾斜した方向に延びるとともに前記噴口に連通した接続流路と、前記接続流路に連通し上方に向けて開口した噴射孔とを備え、
前記接続流路が、第１流路部と、該第１流路部に摺動自在に嵌合された第２流路部と、により伸縮自在に構成され、前記第１流路部に前記操作部が取り付けられ、
前記噴射孔からのエアゾール内容物の噴射を妨げることなく前記操作部を前記ステムの真上付近で押し下げ可能であることを特徴とするエアゾール装置。
【請求項２】
略半球状のエアゾール容器の上面中心に配設された噴口を有するステムを足で押し下げ可能な操作部を有するエアゾール装置であって、
前記操作部は、爪先を載置可能な長さを前記ステムの軸方向に対して傾斜した方向に有する板状部と、前記ステムの軸方向に対して傾斜した方向に延びるとともに前記噴口に連通した接続流路と、前記接続流路に連通し上方に向けて開口した噴射孔と、前記操作部を足で操作する際に爪先等を当接させることができるストッパ部とを備え、前記ストッパ部は前記操作部の先端側で前記噴射孔よりも前記ステム側に備えられ、
前記噴射孔からのエアゾール内容物の噴射を妨げることなく前記操作部を前記ステムの真上付近で押し下げ可能であることを特徴とするエアゾール装置。
【請求項３】
略半球状のエアゾール容器の上面中心に配設された噴口を有するステムを足で押し下げ可能なエアゾール装置用の操作部材であって、
爪先を載置可能な長さを前記ステムの軸方向に対して傾斜した方向に有する板状部と、該板状部に形成され前記ステムの軸方向に対して傾斜した方向に延びるとともに前記噴口に連通した接続流路と、前記板状部の先端部に形成され前記接続流路に連通し上方に向けて開口した噴射孔と、を備え、
前記ステムに装着された押釦に着脱自在であり、
前記噴射孔からのエアゾール内容物の噴射を妨げることなく前記ステムを真上付近で押し下げ可能であることを特徴とするエアゾール装置用の操作部材。
【請求項４】
略半球状のエアゾール容器の上面中心に配設された噴口を有するステムを足で押し下げ可能な操作部を有するエアゾール装置であって、
前記ステムの軸方向に対して傾斜した方向に延びるとともに前記噴口に連通した接続流路を有する噴射筒が押釦に装着され、
前記操作部は、爪先を載置可能な長さを前記ステムの軸方向に対して傾斜した方向に有する板状部と、該板状部の先端部に形成され上方に向けて開口した噴射孔と、前記噴射筒の先端開口から噴射されたエアゾール内容物を前記噴射孔に案内する案内壁と、を備えるとともに、前記ステムに装着された押釦に着脱自在であり、
前記噴射孔からのエアゾール内容物の噴射を妨げることなく前記操作部を前記ステムの真上付近で押し下げ可能であることを特徴とするエアゾール装置。
【請求項５】
略半球状のエアゾール容器の上面中心に配設された噴口を有するステムを足で押し下げ可能な操作部を有するエアゾール装置であって、
平面視において前記エアゾール容器よりも半径方向外方に延び、前記エアゾール容器の設置面上で足の踵で踏まれ得る長さを有し、前記設置面と踵とにより挟持されて位置を固定される固定部と、前記固定部に一体に接続され、前記エアゾール容器に上から係合して前記エアゾール容器を保持する保持部とを有する滑り止め手段を備えたことを特徴とするエアゾール装置。
【発明の詳細な説明】
【０００１】
【発明の属する技術分野】
本発明は、芳香剤や殺虫剤等を噴射するエアゾール装置に関し、詳しくは、噴射操作を足で行うのに適したエアゾール装置に関する。
【０００２】
【従来の技術】
従来、エアゾール装置は、芳香剤や殺虫剤等の噴射操作を手指で行うように構成したものが主流であった。例えば、実用新案登録第３０３８３５５号公報に開示されている「自動車内除菌、消臭用エアゾール容器」は、手指によって操作手段であるアクチュエータを押し、その先端に設けた噴射ノズルから消臭剤等を噴霧する構成になっている。
【０００３】
この他にも様々なエアゾール装置が提案されており、床等に置いた状態で手指でアクチュエータを操作して殺虫剤等を噴射するものや、床等に置いて殺虫剤を連続的に噴射するもの（以下「全量噴射型」という）等がある。
【０００４】
図１６に、従来の全量噴射型のエアゾール装置を示す。エアゾール装置１００は、金属缶等からなる耐圧容器で形成されたエアゾール容器１０１を備え、そのエアゾール容器内に、殺虫剤等の有効成分、溶剤及び噴射剤（以下「エアゾール内容物」という）が充填されている。容器１０１上部にはエアゾール内容物を一時に全量噴射するアクチュエータ１０２が設けられている。
【０００５】
アクチュエータ１０２は、キャップ１０３と、キャップ１０３上面に設けられた押釦１０４とを備えている。操作部である押釦１０４は、キャップ１０３内部で、図示しないステムの先端に当接できるようになっている。また押釦１０４には、ステムの噴口に連通する噴射孔１０５が設けられている。
押釦１０４を手動操作で押圧すると当該押釦がステムを下方に押し下げ、ステムの噴口とエアゾール容器１０１内が連通される。このとき押釦１０４は、図示しない周知のストッパによって押し下げた状態で係止される。これにより、エアゾール容器１０１内のエアゾール内容物の全てが、噴射口１０５から連続的に噴射される。
【０００６】
【発明が解決しようとする課題】
しかしながら、エアゾール装置を床等に置いてアクチュエータを手指で操作する場合、使用者はエアゾール装置上に屈みこんだ状態で操作部を押し下げなければならず、使い勝手が悪かった。またこのとき、殺虫剤等のエアゾール内容物が使用者に向かって噴射され、使用者がエアゾール内容物を吸引してしまうことがあった。
【０００７】
そこで、アクチュエータを足で操作可能なエアゾール装置が提案された。しかしながら足によって、操作部であるペダル等を操作した際に、当該エアゾール装置が床上でずれてしまったり、転倒してしまったりして、ステムを押し下げることができない場合があった。
【０００８】
本発明は、以上のような背景に基づいてなされたものであって、その目的は、床等に置いてエアゾール内容物の噴射操作を足で行うのに適し、操作中にずれたり転倒したりすることのない操作性に優れたエアゾール装置を提供することにある。
【０００９】
【課題を解決するための手段】
本発明に係る前記目的は、略半球状のエアゾール容器の上面中心に配設された噴口を有するステムを足で押し下げ可能な操作部を有するエアゾール装置であって、
前記ステムの軸方向に対して傾斜した方向に延びるとともに前記噴口に連通した接続流路と、前記接続流路に連通し上方に向けて開口した噴射孔とを備え、
前記接続流路が、第１流路部と、該第１流路部に摺動自在に嵌合された第２流路部と、により伸縮自在に構成され、前記第１流路部に前記操作部が取り付けられ、
前記噴射孔からのエアゾール内容物の噴射を妨げることなく前記操作部を前記ステムの真上付近で押し下げ可能であることを特徴とするエアゾール装置によって達成される。
また、本発明に係る前記目的は、略半球状のエアゾール容器の上面中心に配設された噴口を有するステムを足で押し下げ可能な操作部を有するエアゾール装置であって、
前記操作部は、爪先を載置可能な長さを前記ステムの軸方向に対して傾斜した方向に有する板状部と、前記ステムの軸方向に対して傾斜した方向に延びるとともに前記噴口に連通した接続流路と、前記接続流路に連通し上方に向けて開口した噴射孔と、前記操作部を足で操作する際に爪先等を当接させることができるストッパ部とを備え、前記ストッパ部は前記操作部の先端側で前記噴射孔よりも前記ステム側に備えられ、
前記噴射孔からのエアゾール内容物の噴射を妨げることなく前記操作部を前記ステムの真上付近で押し下げ可能であることを特徴とするエアゾール装置によって達成される。
また、本発明に係る前記目的は、略半球状のエアゾール容器の上面中心に配設された噴口を有するステムを足で押し下げ可能なエアゾール装置用の操作部材であって、
爪先を載置可能な長さを前記ステムの軸方向に対して傾斜した方向に有する板状部と、該板状部に形成され前記ステムの軸方向に対して傾斜した方向に延びるとともに前記噴口に連通した接続流路と、前記板状部の先端部に形成され前記接続流路に連通し上方に向けて開口した噴射孔と、を備え、
前記ステムに装着された押釦に着脱自在であり、
前記噴射孔からのエアゾール内容物の噴射を妨げることなく前記ステムを真上付近で押し下げ可能であることを特徴とするエアゾール装置用の操作部材によって達成される。
また、本発明に係る前記目的は、略半球状のエアゾール容器の上面中心に配設された噴口を有するステムを足で押し下げ可能な操作部を有するエアゾール装置であって、
前記ステムの軸方向に対して傾斜した方向に延びるとともに前記噴口に連通した接続流路を有する噴射筒が押釦に装着され、
前記操作部は、爪先を載置可能な長さを前記ステムの軸方向に対して傾斜した方向に有する板状部と、該板状部の先端部に形成され上方に向けて開口した噴射孔と、前記噴射筒の先端開口から噴射されたエアゾール内容物を前記噴射孔に案内する案内壁と、を備えるとともに、前記ステムに装着された押釦に着脱自在であり、
前記噴射孔からのエアゾール内容物の噴射を妨げることなく前記操作部を前記ステムの真上付近で押し下げ可能であることを特徴とするエアゾール装置によって達成される。
【００１０】
ここで「ステムの軸方向に対して傾斜した方向に延びる」とは、ステムの軸方向に対して直角な方向に延びる場合を含むものとする。
また、「ステムの真上付近」とは、ステムの軸方向真上以外に、その周辺の部分も含み、その位置で操作部を押圧したとき、床等に置いたエアゾール装置が転倒しないような位置であればよい。
操作部の形態は限定されないが、例えばペダル形状、踏み板形状、踏み台形状、ボタン形状等のものを採用できる。また操作部には、噴射操作を足で行い易くするために、爪先等を当接させることができるストッパ部を設けることが好ましい。
【００１１】
以上のような構成のエアゾール装置によれば、エアゾール内容物の噴射孔からの噴射を妨げることなく、操作部をステムの真上付近で押圧することができる。したがって、エアゾール装置を床等に置いて足によって操作部を押圧したときに、当該エアゾール装置がずれたり転倒したりすることはない。また、接続流路を利用して噴射孔を適宜な位置に配置することで、エアゾール内容物が使用者に向かって噴射されることを防止できる。
【００１２】
前記エアゾール装置は、エアゾール内容物の連続噴射を可能とする機構を備えた全量噴射型として構成してもよい。また、操作時から所定時間経過後にエアゾール内容物の噴射を開始するための遅延噴射機構を備えることもできる。
また、前記エアゾール装置は、エアゾール容器が上下動バルブを有するものであっても、傾倒式バルブを有するものであってもよい。エアゾール容器の形態は限定されないが、転倒しにくい形状であることが好ましく、例えば中空略半球状等の偏平形状であることが好ましい。しかし転倒しにくいものであれば縦長缶状等であってもよい。
【００１３】
前記エアゾール装置における操作部は、エアゾール容器に着脱可能なものであってもよい。また前記接続流路および噴射孔は、操作部自身に設けてもよいし、操作部とは別体の部材に設けてもよい。
前記エアゾール装置における接続流路は、その長さを調整できるように構成してもよい。
【００１４】
また、前記エアゾール装置における噴射孔は、複数段に切り換え可能な周知の切換機構を設けるなどして、複数種類の噴射パターンを有するように構成してもよい。この噴射孔は、エアゾール内容物をステムの軸方向に対して傾斜した方向に噴射するように構成されてもよく、その角度を例えば微調整できるようにされてもよい。噴射孔は複数設けてもよい。さらに噴射孔近傍に、噴射孔から噴射されたエアゾール内容物を所定の方向に向かわせるためのガイド手段を設けてもよい。
【００１５】
また、本発明に係る前記目的は、略半球状のエアゾール容器の上面中心に配設された噴口を有するステムを足で押し下げ可能な操作部を有するエアゾール装置であって、
平面視において前記エアゾール容器よりも半径方向外方に延び、前記エアゾール容器の設置面上で足の踵で踏まれ得る長さを有し、前記設置面と踵とにより挟持されて位置を固定される固定部と、前記固定部に一体に接続され、前記エアゾール容器に上から係合して前記エアゾール容器を保持する保持部とを有する滑り止め手段を備えたことを特徴とするエアゾール装置によって達成される。
【００１６】
ここで、滑り止め手段における固定部および係止部の形態は限定されないが、例えば、固定部が帯状部材であって、係止部がエアゾール容器に外嵌可能な環状部材であるもの等を採用できる。
噴射孔は、平面視において固定部が延びる方向とは逆方向にエアゾール内容物を噴射できるものであることが好ましい。
【００１７】
以上のような構成のエアゾール装置によれば、エアゾール容器の半径方向外方に延びた固定部を、例えば踵で踏みつけて固定するとともにエアゾール容器の操作部を爪先で操作することで、ステムを押し下げることができる。このときエアゾール容器は、固定部に接続された係止部によって係止されているので設置面に対してずれない。したがって、エアゾール容器のずれ及び転倒が阻止され、ステムを確実に押し下げることができる。
【００１８】
本発明において、エアゾール内容物としては、噴射剤（液化ガス、又は圧縮ガス、又はそれら両方）と、原液（溶媒と、殺虫剤、忌避剤、殺菌剤、消臭剤、芳香剤、化粧品、医薬品などの溶質）とを含むものを用いることができ、これらの配合割合も、１：９〜９：１の範囲から使用目的に応じて適切な割合を選択することができる。
【００１９】
本発明においてエアゾール内溶液を噴出させる噴射剤としては、ジメチルエーテル（ＤＭＥ）、液化石油ガス（ＬＰＧ）、ｎ−ブタン、イソブタン、プロパン、イソペンタン、ｎ−ペンタン、シクロペンタン、プロピレン、ｎ−ブチレン、イソブチレン、エチルエーテル、炭酸ガス、窒素ガスおよび使用上問題がないフロンガス（ＨＣＦＣ２２、１２３、１２４、４１ｂ、１４２ｂ、２２５、ＨＦＣ１２５、１３４ａ、１４３ａ、１５２ａ、１２、２２７ａ）などを挙げることができる。
好ましくは、ＤＭＥ、ＬＰＧ、ｎ−ブタン、イソブタン、プロパン、炭酸ガス、窒素ガス、フロン１３４ａ等を挙げることができる。
【００２０】
また、溶媒としては、水、アルコール類：例えばメタノール、エタノール、イソプロパノール、エチレングリコール、ジエチレングリコールモノブチルエーテル、エチレングリコールモノメチルエーテルなど、ケトン類：例えば、アセトン、メチルエチルケトン、メチルイソブチルケトンなど、エステル類：例えば酢酸メチル、酢酸エチル、酢酸ブチル、ミリスチン酸イソプロピルなど、その他エチルエーテルなど、及び脂肪族炭化水素類：例えばｎ−ヘキサン、ケロシン、灯油、ｎ−ペンタン、イソペンタン、シクロペンタン等を挙げることができる。これら溶媒は混合して使用しても良い。
【００２１】
また、有効成分としては、殺虫剤、殺菌剤、殺ダニ剤、忌避剤、芳香剤、消臭剤等が考えられる。
殺虫剤としては、安全性の観点からピレスロイド系の化合物を用いることが好ましく、代表的なものを例示すると、次のとおりである。
・ｄｌ−３−アリル−２−メチル−４−オキソ−２−シクロペンテニル  ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル  ｄ−シス／トランス−クリサンテマート（商品名ピナミンフォルテ：住友化学工業株式会社製）
・ｄｌ−３−アリル−２−メチル−４−オキソ−２−シクロペンテニル  ｄ−トランス−クリサンテマート（商品名バイオアレスリン：ユクラフ社製）
・ｄ−３−アリル−２−メチル−４−オキソ−２−シクロペンテニル  ｄ−トランス−クリサンテマート（商品名エキスリン：住友化学工業株式会社製、商品名エスバイオール：ユクラフ社製）
・（５−ベンジル−３−フリル）メチル  ｄ−シス／トランス−クリサンテマート（一般名レスメトリン、商品名クリスロンフォルテ：住友化学工業株式会社製）
・５−プロパギル−２−フリルメチル−ｄ−シス／トランス−クリサンテマート（一般名フラメトリン、商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・（±）α−シアノ−３−フェノキシベンジル  ｄｌ−シス／トランス−３−（２，２−ジメチル−１−シクロプロパンカルボキシラート（一般名サイパーメスリン）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・イミプロトリン
・トラロメスリン
【００２２】
また、その他の殺虫剤として、カーバメイト系のものとしてプロポクサー、オキサジアゾール系のものとしてメトキサジアゾン、有機リン系のものとしてＤＤＶＰ等を挙げることができる。
【００２３】
また、配合可能な害虫忌避剤としては、代表的なものを例示すると、次の物質が挙げられる。
・Ｎ，Ｎ−ジエチル−メタ−トルアミド（ディート）
・２，３，４，５−ビス（△２−ブチレン）−テトラヒドロフルフラール
・ジ−ｎ−プロピルイソシンコメロネート
・ジ−ｎ−ブチルサクシネート
・２−ヒドロキシエチルオクチルサルフアイド
・２−ｔ−ブチル−４−ヒドロキシアニソール
・３−ｔ−ブチル−４−ヒドロキシアニソール
・１−エチニル−２−メチル−ペンテニル２，２，３，３−テトラメチルシクロプロパンカルボキシレート
・１−エチニル−２−メチル−２−ペンテニル２，２−ジメチル−３−（２′，２′−ジクロルビニル）−シクロプロパン−１−カルボキシレート
・１−エチニル−２−メチル−２−ペンテニル２，２−ジメチル−３−（２′−１′−プロピペニル）−シクロプロパン−１−カルボキシレート
・Ｎ−ヘキシル−３，４−ジクロルマレイミド等である。
【００２４】
また、配合可能な殺ダニ剤としては、代表的なものを例示すると、次の物質が挙げられる。
フェノトリン、ペルメトリン、レストメリン、ＩＢＴＡ、ＩＢＴＥ、第４級アンモニウム塩、安息香酸ベンジル、安息香酸フェニル、サリチル酸ベンジル、サリチル酸フェニル、３−ブロモ−２，３−ヨード−２−プロペニル−エチルカルボナート、４−クロルフェニール−３−ヨードプロパルギルホルマール等である。
【００２５】
また、配合可能な昆虫幼若ホルモンとしては、幼若ホルモン、アンチ幼虫ホルモン、脱皮阻害ホルモンなど、代表的には、メトプレン、ハイドロプレン、Ｓ−ハイドロプレン、ピリプロキシフェン、フェノキシカーブ、イミダゾール系（１−メチル−５−（２，６−ジメチル−１，５−ヘプタジエニル）イミダゾール、１−エチル−５−（２，６−ジメチル−１，５−ヘプタジエニル）イミダゾール）等である。
【００２６】
また、配合可能な殺菌剤としては、パラ−クロロ−メタキシレノール（ＰＣＭＸ）、２，４，４′−トリクロロ−２′−ハイドロキシジフェニルエーテル（イルガサンＤＰ−３００）、３−ヨード−２−プロピニルブチルカーバメート（トロイサン）等が挙げられる。
【００２７】
また、配合可能な芳香剤としては、じゃ香、ベルガモット油、シンナモン油、シトロネラ油、レモン油、レモングラス油などの天然香料、ピネン、リモネン、リナロール、メントール、ボルネオール、オイゲノール、シトラール、シトロネラール、ヘリオトピン、ワニリンなどの人造香料などが挙げられる。
【００２８】
更に、配合可能な消臭剤としては、ラウリルメタクリレート、ゲラニルクロトネート、ミリスチル酸アセトフエノン、パラメチルアセトフエノンベンズアルデヒド等が挙げられる。
【００２９】
【発明の実施の形態】
以下、本発明の実施形態を図面に基づいて詳しく説明する。なお、実施形態の説明の前に参考例を説明する。図１および図１の平面図である図２に示す、参考例であるエアゾール装置１０は、高さの低い外観略円柱状ないし略半球状のエアゾール容器１１を備え、エアゾール容器１１の上面のマウンテンカップ１１ａの中央には、ステム１２が上下方向に摺動可能に設けられている。そしてステム１２の上端に、アクチュエータ１３が取り外し可能に取り付けられている。なお、図１においてアクチュエータ１３は、図２におけるＡ−Ａ断面図として示されている。
【００３０】
図１に示すようにアクチェータ１３は、ステム１２の外周に嵌合している筒状の取付部１４と、取付部１４の上端にその端部が接続され、取付部１４およびステム１２の軸方向に対して垂直な方向に延びる帯状の流路部１５とを備えている。流路部１５内には、一端がステム１２の噴口１２ａに連通されるとともに当該流路部１５に対して平行な方向に延びる接続流路１６と、接続流路１６の他端に連通されるとともに当該流路部１５に対して垂直な方向に開口した噴射孔１７が設けられている。すなわち、噴射孔１７はステムの噴口１２ａに対して平面視において偏心した位置に配設されている。また流路部１５には、そのステム１２側の端部に係止部としての段１５ａが形成されている。
【００３１】
流路部１５には、当該流路部１５に平行な板状に形成されたペダル１８が取り付けられている。ここではペダル１８が、別体の部材として流路部１５に取り外し可能に取り付けられており、流路部の段１５ａによって係止されて下方向への移動を規制されている。またペダル１８は、取付部１４の外周に沿う支持部１９を有している。
【００３２】
図２に示すようにペダル１８は、略楕円状の板に、平面視において流路部１５が露出するスリット１８ａを設けたような形状である。流路部１５の噴射孔１７側の端部は、ペダル１８の周縁から突出しており、噴射孔１７はその突出した部分に配置されている。
本実施形態においては、流路部１５とペダル１８とが操作部を構成している。なお、図２においてはエアゾール容器１１の図示を省略した。
【００３３】
このエアゾール装置１０を使用するには、先ず、図２に示す流路部１５およびペダル１８の上に足等を載置する。このとき、流路部１５の位置を確認しながら、その流路部１５の下にあるステム１２を、軸方向に真っ直ぐ押し下げ可能な外力を付与できるような位置に足を置く。次に、流路部１５およびペダル１８を踏み込む。すると、噴射孔１７からエアゾール内容物が噴出される。
【００３４】
以上のような構成のエアゾール装置１０によれば、噴射孔１７からのエアゾール内容物の噴出を妨げることなく、ステム１２の真上およびその周辺で、流路部１５およびペダル１８を押圧することができる。したがって、エアゾール装置１０を床等に置いて、足によって操作部を押し下げたときに、当該エアゾール装置がずれたり転倒したりすることはない。また、噴射孔１７を使用者の体から離れた位置に配置することで、エアゾール内容物が使用者に向かって噴射されることも防止できる。
【００３５】
また、ペダル１８を設けたことで、押圧できる箇所の平面視における面積が増えているので、足等を載せ易く、ステム１２を安定して押し下げることができる。また、平面視において流路部１５がペダル１８から露出しているので、ステム１２が配置されているエアゾール装置１０の中心を認識し易い。したがって、エアゾール装置１０のずれ及び転倒を一層確実に防止できる。
【００３６】
また、アクチュエータ１３はエアゾール容器１１から取り外すことができるので、エアゾール容器１１が空になった際には、アクチュエータ１３を他のエアゾール容器に取り付けることもできる。
また、ペダル１８を流路部１５に対して取り外し可能にしてあるので、製品として包装する際にかさばることもない。
【００３７】
図３に、本発明の第１実施形態を示す。本実施形態は、参考例の流路部を変更したものであって、他の部分は参考例と同じであるので図示を省略する。また、既に説明した部材等については、同一符号又は相当符号を付すことにより、説明を簡略化或いは省略する。
【００３８】
図３に示すアクチュエータ３３は、帯状の第一流路部３５ａおよび第二流路部３５ｂを備えている。第一流路部３５ａ内には、一端がステムの噴口１２ａに連通され、当該流路部３５ａに平行な方向に延び、他端が開放された第一接続流路３６ａが設けられている。そして、第一接続流路３６ａの開放された側から、第二流路部３５ｂが摺動可能に嵌合されており、第二流路部３５ｂ内には、一端が第一接続流路３６ａに連通され、当該流路部３５ｂに平行な方向に延びる第二接続流路３６ｂが設けられている。そして第二流路部３５ｂの先端には、第二接続流路３６ｂに連通されるとともに当該第二流路部３５ｂに垂直な方向に対して傾斜した方向に延びる噴射孔３７が設けられている。ここで噴射孔３７は、ステム１２から離れる方向にエアゾール内容物を向かわせるように傾斜している。
【００３９】
以上のような構成のエアゾール装置によれば、使用者の要望に応じて流路部の長さを変えることができるので、使い勝手が極めてよい。また、噴射孔３７が、流路部３５ｂに垂直な方向に対して傾斜しておりステムから離れる方向に開口しているので、エアゾール内容物が使用者に向かって噴射されることを一層確実に防止することができる。
【００４０】
図４および図５に、本発明の第２実施形態を示す。アクチュエータ５３は、その内部に接続流路５６を有する略楕円板状のペダル５８を備えている。接続流路５６は、一端がステムの噴口１２ａに連通され、ペダル５８に平行な方向に延びている。そして接続流路５６の他端には、当該ペダル５８に垂直な方向に延びる噴射孔５７が連通されている。なお図４に示すように、噴射孔５７の開口上面が、ペダル５８の上面より高さＨ分高くなるように、ペダル５８上面にストッパ部としての段部５７ａが設けられている。
【００４１】
以上のような構成のエアゾール装置によれば、アクチュエータ５３の部品点数を減らすことができ、製造コストを下げることができる。また、ペダル５８の上面に段部５７ａを設けてあるので、例えばこの段部５７ａ側面に足の爪先を当接させながらペダル５８を踏み込むことで、ステムを確実に真っ直ぐ押し下げることができる。なおこの際、噴射孔５７からのエアゾール内容物の噴射を妨げてしまうことがない。
【００４２】
図６に、本発明の第３実施形態の平面図を示す。エアゾール装置７０は、高さの低い外観略円柱状ないし略半球状のエアゾール容器１１を備え、エアゾール容器１１の上面には、図示しないステムが上下方向に摺動可能に設けられている。そして、図示しないマウンテンカップに、アクチュエータ７３の取付部７４が嵌着されている。
【００４３】
アクチュエータ７３は、取付部７４に対して上下方向に可動であってステムを押し下げ可能な、外観略半球状の可動部７４ａを備えている。可動部７４ａ内には、ステムの噴口に連通するとともに当該ステムの軸方向に対して傾斜した方向に延びる接続流路が設けられている。そして可動部７４ａの表面には、前記接続流路を延長する延長流路を内部に備え、その突出先端に前記接続流路及び延長流路の延びる方向と同じ方向にエアゾール内容物を噴射可能な噴射孔７７が設けられた流路部７５が突設されている。
【００４４】
また可動部７４ａには、流路部７５が突設された側とは反対側に、ペダル７８が接続されている。ここではペダル７８表面に、摩擦抵抗を増すための摩擦部としての凹凸が設けられている。平面視においてペダル７８の半径方向外方の端部は、エアゾール容器１１の外周に略重なっている。
【００４５】
そしてエアゾール装置７０は、帯状部材８１と、帯状部材８１の一端に接続された環状部材８２とからなる滑り止め部材８０を備えている。滑り止め部材８０は、ゴムや樹脂等の可撓性材料からなり、エアゾール容器１１とは別体に形成されている。滑り止め部材８０は、環状部材８２をエアゾール容器１１に外嵌され、帯状部材８１を、その一端が平面視においてエアゾール容器１１の半径方向外方に延びて設置面に接触するように配置されている。帯状部材８１は、ペダル７８の延出方向に沿って延びている。
【００４６】
このような構成のエアゾール装置７０を使用するには、帯状部材８１の設置面に接触した部分を、例えば足Ｆの踵で踏みつけるとともに、ペダル７８を例えば爪先で操作してステムを押し下げることができる。このときエアゾール容器１１は、帯状部材８１に接続された環状部材８２によって係止される。
【００４７】
以上のようなエアゾール装置７０によれば、滑り止め部材８０によってエアゾール容器１１のずれ及び転倒が阻止され、ステムを確実に押し下げることができる。したがって、足踏みによって安定した噴射操作を行うことができる。
また、滑り止め部材が可撓性材料からなっているので、小さく折りたたむこともでき、かさばることがない。
【００４８】
図７に、本発明の第４実施形態の平面図を示す。本実施形態は、第３実施形態のアクチュエータを変更したものであって、他の部分は第３実施形態と同じであるので説明を省略する。
エアゾール容器１１の上面に嵌着されたアクチュエータ９３は、外観略半球状の可動部９４ａに２本の流路部９５を突設して構成されている。各流路部９５の噴射孔９７は、可動部９４ａの内部でステムの軸方向に対して傾斜した方向に延びる接続流路を介してステムの噴口に連通している。
【００４９】
２本の流路部９５は、可動部９４ａのペダル９８が設けられた側とは反対側に設けられており、それぞれが使用者に向かう方向ではない異なる方向にエアゾール内容物を噴射できるようになっている。ここでは、平面視においてペダル９８が延出する方向に対して垂直な方向（図では左右方向）に沿って一方向と他方向に、２本の流路部８５からエアゾール内容物が噴射される。
【００５０】
以上のようなエアゾール装置９０によれば、使用者に向かう方向ではない２方向にエアゾール内容物を同時に噴射できるので、エアゾール内容物を速やかに周囲雰囲気中に拡散させることができる。
【００５１】
図８および図９に、本発明の第５実施形態を示す。本実施形態は、第３実施形態のアクチュエータを変更し、更にエアゾール容器１１に上部カバー１２０を被せたものである。ここでは流路部１１５が、ステム１２の軸方向に対して垂直な方向かつペダル１１８の延出方向の反対方向に延出している。
【００５２】
図１０に、上部カバー１２０の斜視図を示す。上部カバー１２０は半透明状の樹脂製であって、略三角形状の天板１２１と、天板１２１の周縁から垂下された側壁１２２とを備えている。さらに天板１２１からは、その先端がエアゾール容器１１のマウンテンカップ１１ａ（図９参照）に嵌合する略円筒状の取付壁１２３が垂下されている。そして天板１２１には、図８に示したように平面視において、流路部１１５の噴射孔１１７に対向する取付壁１２３の内面部分を外部に露出させる流路開口１２４と、ペダル１１８を外部に露出させるペダル開口１２５とが設けられている。ペダル開口１２５は、天板１２１の一辺に沿って設けられている。
【００５３】
さらに図１０に示すように、ペダル開口１２５が設けられた天板１２１の辺に垂下されている側壁１２２には、ペダルの押し下げを許容するための押し下げ開口１２６が設けられている。また、天板１２１のペダル開口１２５が設けられた辺と、その辺の反対側の頂部には、段差部１２７が設けられている。これらの段差部１２７は、エアゾール容器１１の下面周縁部を係合できるように、同一円周上に配置されている。
【００５４】
以上のようなエアゾール装置１１０によれば、エアゾール容器１１の上部に被せられる上部カバー１２０に流路開口１２４とペダル開口１２５とが設けられているので、上部カバー１２０を外すことなくペダル開口１２５を介してペダル１１８を押し下げることができる。そして、それにより流路部１１５の噴射孔１１７から噴出されたエアゾール内容物は、取付壁１２３によって上方に案内されて、流路開口１２４から外部に拡散される。さらに詳述すれば、図９に示すペダル１１８を押し下げることでステム（チルトバルブ）１２が傾斜され、噴射孔１１７が斜上方を向くので、噴射孔１１７から噴出されたエアゾール内容物は取付壁１２３によって上方に案内される。
【００５５】
また、エアゾール装置１１０によれば、図９に示したように上部カバー１２０に段差部１２７が設けられており、エアゾール装置１１０を積み重ねることができるようになっているので、陳列・保管し易い。
本実施形態は適宜な変形が可能であり、例えば、エアゾール内容物を使用者から離れる方向に案内できるように取付壁１２３が傾斜していてもよいし、流路部１１５から噴出されたエアゾール内容物が取付壁１２３に当たらずに直接流路開口１２４を介して外部に拡散されてもよい。また、流路開口１２４とペダル開口１２５とがつながっていてもよい。また、本実施形態においては取付壁１２３にガイド機能を兼用させていたが、取付壁１２３とは別のガイド手段を設けてもよい。
【００５６】
図１１および図１２に本発明の第６実施形態を示す。本実施形態においては、ステム１２に外観略円筒状の周知の押釦１４０が被着されており、更に押釦１４０上に別体のアクチュエータ１３３が取り付けられている。
図１１に示すようにアクチュエータ１３３は、押釦１４０の外周に嵌合する取付部１３４と、その内部に接続流路１３６を有するペダル１３８とを備えている。接続流路１３６は一端で押釦１４０の噴口１４１に連通し、他端でペダル１３８上面に設けられた噴射孔１３７に連通している。取付部１３４には傾斜壁１３４ａが設けられており、押釦１４０の噴口１４１から接続流路１３６にかけて流路が急激に屈曲しないようになっている。図１２に示すように、接続流路１３６の幅は、押釦１４０に接続された一端から噴射孔１３７に接続された多端に向かって狭くなっている。
【００５７】
以上のようなエアゾール装置によれば、別体のアクチュエータ１３３を取り付けることで、押釦１４０の噴口１４１に接続流路１３６及び噴射孔１３７を接続することができ、押釦１４０が被着されたステム１２を真上から押し下げることができるようになり、平面視においてステム１２の噴口から偏心した位置においてエアゾール内容物を噴出できるようになる。
【００５８】
図１３および図１４に本発明の第７実施形態を示す。本実施形態においては、ステム１２に押釦１４０が被着されるとともに、押釦１４０の噴口に噴射筒１６０が取り付けられている。噴射筒１６０は、アクチュエータ１５３のペダル１５８に対して平行に延びるように押釦１４０に挿着されている。
【００５９】
図１３のＢ-Ｂ断面図である図１４に示すように、取付部１５４には噴射筒１６０との干渉を避けるために切欠１５４ａが形成されている。噴射筒１６０内には流路１６１が形成され、流路１６１の先端には開口１６２が形成されている。
【００６０】
図１３に示すように、ペダル１５８の上面には噴射孔１５７が形成されている。そしてペダル１５８には、噴射筒１６０の流路１６１を通り先端開口１６２から噴出されたエアゾール内容物を噴射孔１５７に案内するための案内壁１５８ａが設けられている。ここでは案内壁１５８ａとペダル１５８との間に接続流路１５６が形成されている。
【００６１】
以上のようなエアゾール装置によれば、別体のアクチュエータ１３３を取り付けることで、押釦１４０に挿着された噴射筒１６０に接続流路１５６及び噴射孔１５７を接続することができ、押釦１４０が被着されたステム１２を真上から押し下げることができるようになり、平面視においてステム１２の噴口から偏心した位置においてエアゾール内容物を噴出できるようになる。
【００６２】
なお本発明は、前述した実施形態に限定されるものではなく、適宜な変形・変更等が可能である。
例えば、前述した第１〜第２実施形態においては、取付部によって、流路部またはペダルをステム先端に取り付けていたが、エアゾール容器の他の部分に取り付けるようにしてもよく、例えばマウンテンカップ等に取り付けるように構成してもよい。
【００６３】
【発明の効果】
以上詳細に説明したように、本発明のエアゾール装置によれば、エアゾール内容物の噴射孔からの噴射を妨げることなく、操作部をステムの真上付近で押圧することができる。したがって、エアゾール装置を床等に置いて足によって操作部を押圧したときに、当該エアゾール装置がずれたり転倒したりすることはない。また、噴射孔を適宜な位置に配置することで、エアゾール内容物が使用者に向かって噴射されることも防止される。
【図面の簡単な説明】
【図１】  本発明の参考例を示す図である。
【図２】  図１における平面図である。
【図３】  本発明の第１実施形態を示す図である。
【図４】  本発明の第２実施形態を示す図である。
【図５】  図４における平面図である。
【図６】  本発明の第３実施形態を示す図である。
【図７】  本発明の第４実施形態を示す図である。
【図８】  本発明の第５実施形態を示す図である。
【図９】  本発明の第５実施形態を示す断面図である。
【図１０】  図９における上部カバーを示す斜視図である。
【図１１】  本発明の第６実施形態を示す図である。
【図１２】  図１１における平面図である。
【図１３】  本発明の第７実施形態を示す図である。
【図１４】  図１３におけるＢ−Ｂ断面図である。
【図１５】  図１３におけるＣ−Ｃ断面図である。
【図１６】  従来のエアゾール装置を示す図である。
【符号の説明】
１０，７０，９０，１１０  エアゾール装置
１１  エアゾール容器
１２  ステム
１２ａ  噴口
１３，３３，５３，７３，９３，１１３，１３３，１５３  アクチュエータ
１４，３４，５４，７４，１３４，１５４  取付部
１５，７５，９５，１１５  流路部
１６，５６，１３６，１５６  接続流路
１７，３７，５７，７７，９７，１１７，１３７，１５７  噴射孔
１８，３８，５８，７８，９８，１１８，１３８，１５８  ペダル（操作部）
５７ａ  段部（ストッパ部）
８０  滑り止め部材（滑り止め手段）
８１  帯状部材（固定部）
８２  環状部材（係止部）
【図１】
0004633875.tif 000002
【図２】
0004633875.tif 000003
【図３】
0004633875.tif 000004
【図４】
0004633875.tif 000005
【図５】
0004633875.tif 000006
【図６】
0004633875.tif 000007
【図７】
0004633875.tif 000008
【図８】
0004633875.tif 000009
【図９】
0004633875.tif 000010
【図１０】
0004633875.tif 000011
【図１１】
0004633875.tif 000012
【図１２】
0004633875.tif 000013
【図１３】
0004633875.tif 000014
【図１４】
0004633875.tif 000015
【図１５】
0004633875.tif 000016
【図１６】
0004633875.tif 000017